(57)【要約】【課題】  発光ユニットに簡単に取り付けるだけで発光量を調整することができる光量調整カバーを提供する。【解決手段】  箱状ボックス３２に設けられた放電管３４を有する発光ユニット２８に取り付けられる光量調整カバー３０であって、ボックス３２に取り付けられる一対の取付片４８ａ、４８ｂと、放電管３４の長さよりも短い幅で放電管３４を部分的に覆えるように、取付片４８ａ、４８ｂにまたがって一体的に設けられた遮光部５０とを有する。【選択図】      図３
0003105407.tif 000002
【実用新案登録請求の範囲】
【請求項１】
箱状ボックスに設けられた放電管を有する発光ユニットに取り付けられる光量調整カバーであって、
前記ボックスに取り付けられる一対の取付片と、
前記放電管の長さよりも短い幅で前記放電管を部分的に覆えるように、前記取付片にまたがって一体的に設けられた遮光部と、
を有することを特徴とする光量調整カバー。
【請求項２】
請求項１において、
前記取付片と前記遮光部が平板状に一体に形成され、前記遮光部が湾曲または曲折可能に形成されていることを特徴とする光量調整カバー。
【請求項３】
請求項１または２において、
耐熱性素材にて形成されていることを特徴とする光量調整カバー。
【請求項４】
請求項１〜３のいずれかにおいて、
前記遮光部に部分的に抜き取り開口可能な抜取部が形成されていることを特徴とする光量調整カバー。
【請求項５】
請求項１〜４のいずれかにおいて、
前記遮光部が複数設けられていることを特徴とする光量調整カバー。
【請求項６】
請求項５において、
前記遮光部が切除可能に形成されていることを特徴とする光量調整カバー。
【請求項７】
請求項１〜６のいずれかに記載の光量調整カバーを有するストロボ装置であって、
前記ボックスの両側面に発光ユニット固定用の複数のねじ孔がそれぞれ設けられ、前記取付片に前記ねじ孔と同じ間隔で取付孔が複数設けられていることを特徴とするストロボ装置。
【請求項８】
請求項７において、
少なくとも一方の取付片の取付孔は一端側が開放された長孔形状とされ、発光ユニット固定用ねじに対して差し込み可能に形成されていることを特徴とするストロボ装置。
【請求項９】
請求項７または８に記載のストロボ装置を有する写真シール機であって、
前記光量調整カバーの一方の取付片を前記筐体の取付け面と前記ボックスの一方の側面との間に挟んだ状態で発光ユニット固定用ねじにて前記ボックスと前記一方の取付片とを共締めし、他方の取付片を前記ボックスの他方の側面にねじにて取り付けたことを特徴とする写真シール機。
【考案の詳細な説明】
【技術分野】
【０００１】
本考案は、簡単に光量調整を行うことのできる光量調整カバー、その光量調整カバーを有するストロボ装置及びそのストロボ装置を有する写真シール機に関する。
【背景技術】
【０００２】
一般に、ユーザが写真シール機を利用して、ユーザの好みに合わせた撮影画像を生成することが行われている。
【０００３】
このような写真シール機にあっては、撮影時にストロボが発光されるようになっており、このストロボの発光量を調整できる製品とできない製品があった。
【０００４】
ストロボの発光量を調整できるものとしては、特許文献１に示されるように、撮影モードや、センサ等による自動位置検出によってストロボの発光量を調整できるようにしたものが知られている。
【特許文献１】特開２００２−３７４４８３号公報
【考案の開示】
【考案が解決しようとする課題】
【０００５】
特許文献１に示されるような発光量の調整が可能な場合であっても、細かい調整が難しく、また、発光量の調整ができない既存の製品は、撮影画像をソフトにより調整するしかなく、簡単に調整することができなかった。
【０００６】
本考案の目的は、発光ユニットに簡単に取り付けるだけで発光量を調整することができる光量調整カバー、その光量調整カバーを用いたストロボ装置及びそのストロボ装置を用いた写真シール機を提供することを目的としている。
【課題を解決するための手段】
【０００７】
前記目的を達成するため、本考案の光量調整カバーは、箱状ボックスに設けられた放電管を有する発光ユニットに取り付けられる光量調整カバーであって、
前記ボックスに取り付けられる一対の取付片と、
前記放電管の長さよりも短い幅で前記放電管を部分的に覆えるように、前記取付片にまたがって一体的に設けられた遮光部と、
を有することを特徴とする。
【０００８】
本考案によれば、一対の取付片をボックスに取り付けるだけで、一対の取付片と一体的に設けられた遮光部が放電管の長さよりも短い幅で放電管を部分的に覆うことができ、この遮光部によって放電管からの光が部分的に遮光され、これによって発光量の調整ができない既存の製品であっても発光量の調整を容易に行うことができ、また、発光量の調整ができるものであっても細かい調整を行うことが可能となる。
【０００９】
本考案においては、前記取付片と前記遮光部を平板状に一体に形成し、前記遮光部を湾曲または曲折可能に形成することができる。
【００１０】
このような構成とすることにより、平板状の光量調整カバーの遮光部を湾曲させて一対の取付片をボックスに取り付けることで、簡単に取り付けができ、しかも、取り付けるまでは平板状であるため、かさばることもない。
【００１１】
本考案においては、光量調整カバーを耐熱性素材にて形成することができる。
【００１２】
このような構成とすることにより、ストロボの発光時の熱によって光量調整カバーが傷むのを抑制し、耐久性を向上させることができる。
【００１３】
本考案においては、前記遮光部に部分的に抜き取り開口可能な抜取部を形成することができる。
【００１４】
このような構成とすることにより、ストロボの発光量の状態に応じて、抜取部を抜き取ることで、より細かなストロボの発光量の調整を行うことができる。
【００１５】
本考案においては、前記遮光部を複数設けるようにすることができる。
【００１６】
このような構成とすることにより、複数の遮光部によってストロボに対する遮光位置を複数個所に設定し、光量調整を有効に行わせることができる。
【００１７】
この場合、遮光部を切除可能に形成することができる。
【００１８】
このような構成とすることにより、ストロボの発光量に応じて適宜遮光部を切除することで、より細かな光量調整を行うことができる。
【００１９】
本考案のストロボ装置は、前述のいずれかに記載の光量調整カバーを有するストロボ装置であって、
前記ボックスの両側面に発光ユニット固定用の複数のねじ孔がそれぞれ設けられ、前記取付片に前記ねじ孔と同じ間隔で取付孔が複数設けられていることを特徴とする。
【００２０】
本考案によれば、ボックスの両側面に形成されている複数のねじ孔を同じ間隔で取付片に取付孔を設けることで、ボックスのねじ孔を用いて光量調整カバーの取付片をボックスに取り付けることができ、簡単な作業で取り付けを行うことができる。
【００２１】
この場合、少なくとも一方の取付片の取付孔を一端側が開放された長孔形状とし、発光ユニット固定用ねじに対して差し込み可能に形成することができる。
【００２２】
このような構成とすることにより、一端側が開放された長孔形状の取付孔を用いて、発光ユニット固定用ねじに対して取付片を差し込むことで、取付孔の位置合わせを行うことがなく、容易に取り付け作業を行うことができる。
【００２３】
本考案の写真シール機は、前述のいずれかのストロボ装置を有する写真シール機であって、
前記光量調整カバーの一方の取付片を前記筐体の取付け面と前記ボックスの一方の側面との間に挟んだ状態で発光ユニット固定用ねじにて前記ボックスと前記一方の取付片とを共締めし、他方の取付片を前記ボックスの他方の側面にねじにて取り付けたことを特徴とする。
【００２４】
本考案によれば、筐体の取付け面とボックスの一方の側面との間に光量調整カバーの一方の取付片を挟んだ状態で発光ユニット固定用ねじにてボックスと一方の取付片とを共締めすることで、発光ユニット固定用ねじによるボックスの取り付けと一緒に一方の取付片の取り付けを行うことができ、取り付け作業を簡略に行うことができる。
【考案を実施するための最良の形態】
【００２５】
以下、本考案の実施の形態について、図面を参照して詳細に説明する。
【００２６】
図１は、本考案に係る写真シール機の一実施の形態を示す図であり、図２、図３は、本考案に係るストロボ装置の一実施の形態を示す図であり、図４〜図７は、本考案に係る光量調整カバーの実施の形態を示す図である。
【００２７】
図１は、写真シール機の部分斜視図で、この写真シール機１０は、筐体１２の正面中央に被写体撮影用のカメラ１４を有し、被写体を主として正面方向から撮影するようになっている。
【００２８】
カメラ１４の下側には、撮影用ディスプレイ１６が設けられ、カメラ１４で撮影される映像が撮影用ディスプレイ１６に表示され、ユーザはこの撮影用ディスプレイ１６に表示された映像を見ながら、自身の撮影時のポーズを確認することができるようになっている。
【００２９】
また、筐体１２には、被写体の正面側から光を照射する照明部１８が設けられている。
【００３０】
照明部１８は、例えば、正面左上部にカバー２０を取り外して内部を示すように、上下２本の蛍光管２２を配置し、その蛍光管２２間にストロボ装置２４を配置するようにしている。
【００３１】
ストロボ装置２４は、上端が筐体１２に取り付けられた取付部材２６に固定されるようになっている。
【００３２】
また、ストロボ装置２４は、図２に示すように、発光ユニット２８と、光量調整カバー３０とを有している。
【００３３】
発光ユニット２８は、箱状ボックス３２と、この箱状ボックス３２に設けられた放電管３４とを有している。
【００３４】
ボックス３２は、図３に示すように一端に電源接続用のコネクタ３６を有し、両側面に発光ユニット２８固定用の複数、例えば２個のねじ孔３８がそれぞれ設けられており、一方の側面のねじ孔に対し発光ユニット固定用ねじ４０にて取付部材２６の折曲片４２に取り付けられるようになっている。
【００３５】
放電管３４は、ねじ孔３８の形成された両側面に挟まれた面より突出した状態で両側の支持部材を兼ねた導線４４により支持された状態となっており、照明部１８内の奥側に向けて発光可能に配置されている。
【００３６】
そして、図１に示すように、ストロボ装置２４の奥側に配した反射板４６により発光した光が反射されて正面側へと照射されるようになっている。
【００３７】
この放電管３４は、キセノンランプを用いたストロボのような閃光型の発光手段が用いられている。
【００３８】
光量調整カバー３０は、発光ユニット２８に取り付けられて用いられるもので、ボックス３２に取り付けられる一対の取付片４８ａ、４８ｂと、放電管３４の長さよりも短い幅で、放電管３４を部分的に覆えるように取付片４８ａ、４８ｂにまたがって一体的に設けられた遮光部５０とを有している。
【００３９】
また、この光量調整カバー３０は、図４に示すように、取付片４８ａ、４８ｂと遮光部５０が平板状に一体に形成され、遮光部５０が湾曲または曲折可能に形成されている。
【００４０】
また、光量調整カバー３０は、ＡＳＢシート、塩ビシート、ポリカーボネートシート等の必要十分な耐熱性を備えた素材（耐熱性素材）にて形成され、放電管３４の発光時における熱量によって傷んだりすることがないようにされている。
【００４１】
取付片４８ａ、４８ｂは、ボックス３２の側面の大きさに相応した長方形状とされ、各取付片４８ａ，４８ｂには、ボックス３２の両側面に形成された発光ユニット２８固定用の複数のねじ孔３８と同じ間隔で取付孔５２ａ、５２ｂが複数、例えば２つずつ設けられている。
【００４２】
また、一方の取付片４８ａの取付孔５２ａは、一端側が開放された長孔形状とされ、発光ユニット固定用ねじ４０に対して差し込み可能に形成されている。
【００４３】
遮光部５０は、取付片４８ａ、４８ｂの長手方向におけるほぼ中央位置に形成され、放電管３４のほぼ中央部を覆う状態となっている。
【００４４】
また、遮光部５０の幅は、放電管３４の光量を調整するに適した幅に設定されている。
【００４５】
そして、このような光量調整カバー３０は、一方の取付片４８ａを筐体１２の取付部材２６の折曲片４２とボックス３２の一方の側面との間に挟んだ状態で発光ユニット固定用ねじ４０にてボックス３２と一方の取付片４８ａとを共締めし、他方の取付片４８ｂをボックス３２の他方の側面にねじ５４にて取り付けるようにしている。
【００４６】
この場合、光量調整カバー３０を図４に示す平板状の状態のまま、例えば、ねじ５４で他方の取付片４８ｂをボックス３２の他方の側面に取り付けた状態としておき、折曲片４２に発光ユニット固定用ねじ４０を挿入し、ボックス３２の一方の側面に形成したねじ孔３８に螺合させ、発光ユニット固定用ねじ４０を若干緩めた状態で遮光部５０を湾曲させ、一方の取付片４８ａに形成した取付孔５２ａを用いて一方の取付片４８ａを発光ユニット固定用ねじ４０に差し込み、その状態で発光ユニット固定用ねじ４０を最後まで締め付けることで、ボックス３２を取付部材２６の折曲片４２に容易に固定することができる。
【００４７】
図５には、他の実施の形態に係る光量調整カバーを示している。
【００４８】
この光量調整カバー６０は、一方の取付片４８ａに対し、他方の取付片６２の大きさを小さくするとともに、取付孔５２ｂの形成部分を残したコ字形状に形成することで、ボックス３２の注意書き表示が見えるようにしている。
【００４９】
これによって、材料費の削減も可能である。
【００５０】
他の構成及び作用は前記実施の形態と同様につき説明を省略する。
【００５１】
図６には、さらに他の実施の形態に係る光量調整カバーを示している。
【００５２】
この光量調整カバー７０は、一対の取付片４８ａ、４８ｂの間にその長手方向に沿って所定の間隔で複数、例えば３個の遮光部７２ａ、７２ｂ、７２ｃが設けられ、各遮光部と取付片４８ａ、４８ｂとの間に切取線７４ａ、７４ｂ、７４ｃを設け、各遮光部７２ａ、７２ｂ、７２ｃをそれぞれ切取線７４ａ、７４ｂ、７４ｃに沿って切除可能とすることで、より細かな光量調整を行えるようにしている。
【００５３】
他の構成及び作用は前記実施の形態と同様につき説明を省略する。
【００５４】
図７には、さらに他の実施の形態に係る光量調整カバーを示している。
【００５５】
この光量調整カバー８０は、遮光部８２の幅を若干広げ、この遮光部８２に部分切取線８４ａ、８４ｂ、８４ｃにて部分的に切り取り可能な複数、例えば３個の円形の抜取部８６ａ、８６ｂ、８６ｃを形成し、この各抜取部８６ａ、８６ｂ、８６ｃを適宜抜き取り、開口を形成することで、より細かな光量調整を可能としている。
【００５６】
他の構成及び作用は前記実施の形態と同様につき説明を省略する。
【００５７】
本考案は、前記各実施の形態に限定されるものではなく、本考案の要旨の範囲内において種々の形態に変形可能である。
【００５８】
例えば、前記実施の形態においては、一方の取付片に一端が開放する長孔形状の取付孔を形成しているが、この例に限らず、一端が開放する長孔形状の取付孔の両方の取付片に形成してもよく、あるいは、両方の取付片とも通常の丸形状の取付孔とすることも可能である。
【００５９】
また、前記実施の形態では、光量調整カバーを有するストロボ装置を写真シール機に用いた例を示したが、この例に限らず、ストロボ装置を用いる種々の機械に用いることができる。
【図面の簡単な説明】
【００６０】
【図１】本考案の一実施の形態に係るストロボ装置を有する写真シール機の部分斜視図である。
【図２】図１のＡ−Ａ線に沿う断面図である。
【図３】ストロボ装置の斜視図である。
【図４】光量調整カバーの平面図である。
【図５】他の実施の形態に係る光量調整カバーの平面図である。
【図６】さらに他の実施の形態に係る光量調整カバーの平面図である。
【図７】さらに他の実施の形態に係る光量調整カバーの平面図である。
【符号の説明】
【００６１】
１０  写真シール機
１２  筐体
２４  ストロボ装置
２６  取付部材
２８  発光ユニット
３０、６０、７０、８０  光量調整カバー
３２  ボックス
３４  放電管
３８  ねじ孔
４０  発光ユニット固定用ねじ
４８ａ、４８ｂ、６２  取付片
５０、７２ａ、７２ｂ、７２ｃ、８２  遮光部
５２ａ、５２ｂ  取付孔
５４  ねじ
８６ａ、８６ｂ、８６ｃ  抜取部
【図１】
0003105407.tif 000003
【図２】
0003105407.tif 000004
【図３】
0003105407.tif 000005
【図４】
0003105407.tif 000006
【図５】
0003105407.tif 000007
【図６】
0003105407.tif 000008
【図７】
0003105407.tif 000009